(57)【特許請求の範囲】
【請求項１】
配管等のような長円形物体を車両に振動遮断性取り付けするためのプラスチック製ホルダであって、
ボルト収容開口部（２０）が設けられた基部部分（２）と、
前記基部部分（２）の上に一体的に形成され、前記長円形物体を収容するのに適し、中空の内面をもつ凹部及び基部部分（２）から離れる方向を向いた挿入開口部（３０）を備えた、Ｕ字形状壁によって形成された保持区域（２４、２５、３５、４０）を有するリテーナ部分（３、４、５）と
を有し、
前記凹部内に突出する弾性保持フィンガ（２９）が、前記挿入開口部（３０）に設けられ、前記長円形物体を前記凹部内に保持することができ、
前記リテーナ部分（３、４、５）は、１又はそれ以上の可撓性壁要素（３１、３２、３６、３７、４１、４２）によって前記基部部分（２）に接続され、前記基部部分（２）に直接触れることなく前記基部部分（２）に固定されるように構成されており、
前記基部部分（２）は、その内部に開口部（１５、１６）が設けられ、前記挿入開口部（３０）とは反対側にある前記Ｕ字形状壁の頂部領域（２７）に隣接し、且つ、前記可撓性壁要素（３１、３２）の変形が生じたときに、その中に前記頂部領域（２７）が移動することができるフレーム形状支持区域を有し、
前記フレーム形状支持区域は、前記保持区域（２４、２５、３５、４０）の前記Ｕ字形状壁の断面に対して平行に延びる２つの長手方向要素（１０、１１）と、これらを接続する横断方向要素（１２、１３）とをもつ矩形フレーム（９）を有し、
前記長手方向要素（１０、１１）及び前記横断方向要素（１２、１３）が、矩形形状の縁部で前記開口部（１５、１６）を定める
ことを特徴とするプラスチック製ホルダ。
【請求項２】
前記開口部（１５、１６）の縁部は、前記縁部が前記基部部分（２）の方向における前記リテーナ部分（４）の移動を制限するように、前記Ｕ字形状壁の前記頂部領域（２７）から間隔をおいて配置されることを特徴とする、請求項１に記載のホルダ。
【請求項３】
前記長手方向要素（１０、１１）間の前記開口部（１５、１６）の幅は、前記保持区域（２４、２５）の前記Ｕ字形状壁の前記頂部領域（２７）の対応する幅を上回ることを特徴とする、請求項１又は請求項２に記載のホルダ。
【請求項４】
前記フレーム（９）の前記長手方向要素（１０、１１）及び／又は前記横断方向要素（１２、１３）には、補強リブが設けられることを特徴とする、請求項１〜請求項３のいずれかに記載のホルダ。
【請求項５】
前記リテーナ部分（４）は、各々が長円形物体を収容するためのＵ字形状断面をもつ壁によって形成された凹部をもった複数の保持区域（２４、２５）を有し、これら保持区域（２４、２５）は、その中央のＵ字形状断面が同じ平面内にあるように一列に配置され、前記基部部分（２）の前記フレーム形状支持区域は、前記複数の保持区域（２４、２５）の前記Ｕ字形状壁の前記頂部領域（２７）に沿って延び、前記頂部領域（２７）に隣接して位置する開口部（１５、１６）を有し、その中に前記頂部領域（２７）が移動することができることを特徴とする、請求項１〜請求項４のいずれかに記載のホルダ。
【請求項６】
隣接する保持区域（２４、２５）は、互いに接続され、それぞれの可撓性壁要素によって、両端の各々において前記基部部分に接続されたユニットを形成することを特徴とする、請求項５に記載のホルダ。
【請求項７】
隣接する保持区域は互いに間隔をおいて配置され、可撓性壁要素のみによって互いに接続されることを特徴とする、請求項５に記載のホルダ。
【請求項８】
前記基部部分（２）は、平坦な壁区域（２１、２２）によって両端部が延ばされ、前記平坦な壁区域（２１、２２）の端は、それぞれの可撓性壁要素（３７、４２）によってリテーナ部分（３、５）に接続されることを特徴とする、請求項１〜請求項７のいずれかに記載のホルダ。
【請求項９】
前記基部部分（２）が前記ボルト収容開口部（２０）を含み、前記リテーナ部分（３、４、５）の方向に向いた前記基部部分（２）の側に位置し、且つ、可撓性壁要素（３１、３６）によって前記リテーナ部分（３、４）に接続されたスリーブ様構成部（１９）を有することを特徴とする、請求項１〜請求項８のいずれかに記載のホルダ。
【請求項１０】
前記スリーブ様構成部（１９）は、可撓性壁要素（３１、３６）によって前記スリーブ様構成部（１９）に接続された２つのリテーナ部分（３、４）の間に位置することを特徴とする、請求項９に記載のホルダ。
【請求項１１】
前記リテーナ部分（３、４、５）から離れる方向を向いた側に、前記基部部分（２）は平坦な接触面（６）を有することを特徴とする、請求項１〜請求項１０のいずれかに記載のホルダ。
【請求項１２】
前記基部部分（２）は、そこから突出する弾性フィンガ（７）を有し、その自由端は、前記基部部分（２）の前記接触面（６）から間隔をおいて配置された平面内にあることを特徴とする、請求項１〜請求項１１のいずれかに記載のホルダ。
【発明の詳細な説明】
【技術分野】
【０００１】
本発明は、配管等のような長円形の物体を、車両に対し振動遮断性取り付けするためのプラスチック製ホルダであって、ボルト収容開口部が設けられた基部部分と、基部部分の上に一体的に形成され、長円形物体を収容するのに適し、中空の内面を有する凹部及び基部部分から離れる方向を向いた挿入開口部を有する、Ｕ字形状断面の壁によって形成された保持区域を有するリテーナ部分とを有し、凹部内に突出する弾性保持フィンガが、挿入開口部に設けられ、長円形物体を凹部内に保持することができ、リテーナ部分は、１つ又はそれ以上の薄い可撓性壁要素によって基部部分に接続され、基部部分に直接触れることなく該基部部分に固定されるように構成された、ホルダに関する。
【背景技術】
【０００２】
上述のタイプのホルダは、特許文献１及び特許文献２から公知である。これらのホルダは、主として、燃料ライン、ブレーキライン、又はケーブルなどの配管を車両に締結するために使用され、配管から車両へ又は車両から配管への振動の伝達を妨げるために振動遮断作用又は減衰作用をもたらす必要がある。こうしたホルダの他の要件として、隣接する構成要素の近くに取り付けることを可能にするコンパクトな設計、強力な保持力の生成、簡単な設置、及び安価な製造が挙げられる。
【０００３】
特許文献１から公知のホルダにおいては、長円形の基部部分に、多数の配管保持部分が基部部分の長手方向に一列に配置され、各々がＶ字形状に湾曲したそれぞれの薄い接続要素によって互いに接続される。配管保持部分の両端部は、薄い弾性接続要素によって、基部部分又はボルト収容部分の直立壁にも接続される。配管保持部分と基部部分との間には、中空のチューブ状クッションが付加的に設けられ、各クッションは、上部保持ステムによって配管保持部分に接続され、下部保持ステムによって基部部分に接続される。チューブ状クッションは、垂直方向における振動に対して緩衝作用を生じさせる。Ｖ字形状の薄い弾性接続要素は、横断方向における振動を減衰すると考えられる。このホルダでは、チューブ状クッションの構成のために、配管は、基部部分から比較的大きい距離を隔てて配置される。従って、これに対応して大量の設置空間が必要になり、それにより、ホルダを使用する可能性が制限される。
【０００４】
特許文献３は、Ｕ字形状の断面をもつリテーナ部分が振動吸収ユニットによって基部部分に締結される、配管を車両の本体に振動遮断取り付けするためのプラスチック製ホルダを開示する。振動吸収ユニットは、挿入開口部から離れる方向を向いたリテーナ部分の側に位置し、基部部分上に互いに間隔をおいて配置し、各々がそれぞれの屈曲した板ばね要素によってリテーナ部分に接続される、２つの環状ばね要素で構成される。リテーナ要素上のばね要素の間に、箱様のフレーム部分が設けられ、基部部分から突出するＴ字形状の調整要素がフレーム部分に係合する。フレーム部分と調整要素の協働により、基部部分に対するリテーナ部分の移動度が制限され、ばね要素の破壊が生じた場合に、リテーナ部分が基部部分から分離することが防止される。ばね要素及びフレーム部分の構成のため、リテーナ部分及びその中に保持される配管は、基部部分を締結できる締結面から比較的大きい距離を隔てて配置される。
【先行技術文献】
【特許文献】
【０００５】
【特許文献１】独国実用新案第２９９  １１  ６３９  Ｕ１号明細書
【特許文献２】国際公開第０２／０６５００９号
【特許文献３】米国出願公開第２００５／０１３９７３２  Ａ１号明細書
【発明の概要】
【発明が解決しようとする課題】
【０００６】
本発明の根底にある目的は、長円形物体の支持要素への振動遮断取り付け又は振動減衰取り付けをもたらす、冒頭に述べたタイプのホルダを生成することである。ホルダはまた、全高が低いことも特徴とし、締結する基材の近くに、長円形物体又は幾つかの長円形物体を取り付けることができなければならない。ホルダは、設置が簡単であり、取り付けられた物体が外れるのを防止する高い引き抜き力を確実にしなければならない。ホルダはまた、製造に費用がかからず、製造に要する材料が少ないものでなければならない。
【課題を解決するための手段】
【０００７】
本発明によれば、述べられた目的は、請求項１に開示される特徴を有するホルダによって達成される。ホルダの有利な変更は、従属請求項に開示される。
【０００８】
本発明によれば、配管等のような長円形物体を、車両に対し振動遮断性取り付けするために、プラスチック製ホルダが、ボルト収容開口部が設けられた基部部分と、基部部分の上に一体的に形成され、長円形物体を収容するのに適し、中空の内面をもつ凹部及び基部部分から離れる方向を向いた挿入開口部を備えた、形状断面をもつ壁によって形成された保持区域を有するリテーナ部分とを有し、凹部内に突出する弾性保持フィンガが、挿入開口部に設けられ、長円形物体を凹部内に保持することができ、リテーナ部分は、１つ又はそれ以上の薄い可撓性壁要素によって基部部分に接続され、基部部分に直接触れることなく基部部分に固定され、基部部分は、その内部に開口部が設けられ、挿入開口部とは反対側にあるＵ字形状壁の頂部領域に隣接し、且つ、可撓性壁要素の変形が生じたとき、その中に頂部領域が移動することができるフレーム形状支持区域を有する。
【０００９】
本発明によるホルダにおいて、基部部分は、振動を受けてリテーナ部分が基部部分に対して移動されると、その頂部領域が基部部分の方向に向けられるように、リテーナ部分が突出することができる開口部を有する。結果として、リテーナ部分は、基部部分に対するリテーナ部分の移動度を妨げることなく、従って、関連した振動遮断性を損なうことなく、基部部分の非常に近くに位置することができる。リテーナ部分と基部部分との間の空間的近接性により、ホルダの設置に関する低い空間要件が可能となり、さらに、ホルダによって保持される長円形物体と、基部部分が載っており、そこに基部部分が締結される基材との間の距離の短縮も可能になる。
【００１０】
基部部分における開口部の縁部が、基部部分に対するリテーナ部分の移動範囲を制限するように働くことも可能である。このことは、固定された長円形物体が基材に近づきすぎることを防止する。基部部分の開口部の縁部に対するリテーナ部分の支持は、設置中に長円形物体が挿入される際のリテーナ部分の安定化ももたらし、設置中に、薄い可撓性壁要素が過度に変形することを防止する。基部部分における開口部によって、基部部分とリテーナ部分との間の短い距離、従って、ホルダの空間要件に悪影響を与えることなく、より強力な保持力を生成するために、例えばリブによって、リテーナ部分の、特に頂部領域における保持区域を補強することができる。
【００１１】
ホルダの好ましい実施形態において、フレーム形状支持区域は、保持区域のＵ字形状断面に対して平行に延びる２つの長手方向要素と、これらを接続する２つの横断方向要素とをもつ矩形のフレームを有することができ、長手方向要素と横断方向要素は、矩形の縁部により開口部を形成する。長手方向要素又は横断方向要素の各々には、フレームの剛性を高めるために、補強リブを設けることができる。支持区域のこのフレーム形状の構成により、剛性で安定した基部部分の実施形態が可能になるので、基部部分を基材に取り付けるのに、単一のボルト収容開口部で十分である。
【００１２】
本発明の別の提案によれば、ホルダは、複数の長円形物体を収容するように具体化することができ、リテーナ部分は、各々が長円形物体を収容するためのＵ字形状断面をもつ壁によって形成された凹部を有する複数の保持区域を有し、保持区域は、その中央のＵ字形状断面が同じ平面内にあるように一列に配置され、基部部分のフレーム形状支持区域は、複数の保持区域のＵ字形状壁の頂部領域に沿って延び、頂部領域に隣接して位置する開口部を有し、その中に頂部領域が移動することができる。
【００１３】
リテーナ部分を単純化するために、２つの隣接する保持区域を互いにしっかりと接続し、それぞれの薄い可撓性壁要素によって、両端の各々において基部部分に接続されたユニットを形成することができる。このように、薄い可撓性壁要素の数、基部部分へのその取り付け、及びそれらが必要とする空間の量を減らすことが可能である。
【００１４】
代替的に又は付加的に、隣接する保持区域を、互いに間隔をおいて配置し、薄い可撓性壁要素のみによって互いに接続することができる。薄い可撓性壁要素は、保持区域の列の端部に位置する保持区域において特に有利である。この場合、基部部分は、平坦な壁区域によって両端部を延ばすことができ、平坦な壁区域の自由端は各々、薄い可撓性壁要素によって、列の端部に位置するリテーナ部分に接続される。
【００１５】
本発明によれば、ボルト収容開口部は、基部部分上のスリーブ様構成により形成されることが有利であり、これは、リテーナ部分の方向に向いた基部部分の側に位置し、薄い可撓性壁要素によってリテーナ部分に接続される。
【００１６】
リテーナ部分から離れる方向を向いた側に、基部部分は、基材に接触するための接触面をさらに有することができる。基部部分が締結される基材上に、遊びがない基部部分の支持を保証するために、基部部分はそこから突出する弾性フィンガを有することができ、その自由端は、接触面により定められる平面から間隔をおいて配置される。基部部分が基材に取り付けられると、弾性フィンガは、基材と係合し、基材に対するホルダの圧力によって弾性的に変形され、それによって、ホルダは、遊びがない方法で基材上に支持される。
【００１７】
本発明は、図面に示される例示的な実施形態と併せて、以下でより詳細に説明される。
【図面の簡単な説明】
【００１８】
【図１】上から斜めに見た、本発明によるホルダの斜視図である。
【図２】下から斜めに見た、図１によるホルダの斜視図である。
【図３】図１によるホルダの上面図である。
【図４】図３による線ＩＶ−ＩＶに沿った図１によるホルダを通る断面である。
【発明を実施するための形態】
【００１９】
図面に示されるホルダ１は、プラスチック製の射出成形された構成要素の形態で製造され、本質的に剛性の長円形の基部部分２を含み、その上に、配管又はケーブルなどの長円形の物体を受け、保持するための保持区域を有するリテーナ部分３、４、５が配置される。リテーナ部分３、４、５から離れる方向を向いた基部部分２の裏側に、平坦な接触面６が設けられ、この平坦な接触面６は、ホルダ１が締結される基材上にホルダ１を支持するように設計される。基部部分２から側方に広がる弾性フィンガ７は、その自由端が接触面６の平面を超えて下向きに突出し、ホルダ１を支持する基材上に、弾力性のある遊びのないホルダ１の支持を生成する。
【００２０】
その中間領域において、基部部分２は、２つの平行な長手方向要素１０、１１、及びこれらを接続する横断方向要素１２、１３、１４を有する矩形フレーム９の形態で具体化される。横断方向要素１３は長手方向要素１０、１１をそのほぼ中間で接続し、フレーム９を、各々がそこを通って延びる矩形開口部１５、１６を含む２つの区域に分割する。長手方向要素１０、１１及び横断方向要素１３は、その内縁部がそれぞれの開口部１５、１６を境界付ける内部リブ１７、１８によって補強される。
【００２１】
フレーム９の横断方向要素１２に隣接して、基部部分２には、接触面６に対して直角に上向きに延び、フレーム９の上面を超えて突出するスリーブ様構成部１９が設けられる。構成部１９は、ホルダ１を基材に取り付ける締結ボルトを受けるためのボルト収容開口部２０を含む。ボルト収容開口部２０の内部には、挿入された雄ねじが設けられた締結ボルトをボルト収容開口部２０内に固定する弾性デテントポール又は同等の保持手段が設けられる。
【００２２】
基部部分２の両端は、壁区域２１、２２で構成され、壁区域の一方は、構成部１９に隣接し、もう一方はフレーム９に隣接する。壁区域２１、２２は、その上面に設けられたリブによって補強される。
【００２３】
リテーナ部分４は、フレーム９の上面に配置され、隣同士に位置し、互いにしっかりと締結された２つの保持区域２４、２５を有する。保持区域２４、２５の各々は、断面が本質的にＵ字形状である壁を有し、この壁は、本質的に半円筒の形態の頂部領域２７と、フレーム９に対して本質的に直角に上向きに延びる２つの本質的に平行な端部領域２８とを有する。ガイド開口部３０が、端部領域２８の自由端の間にある。端部領域２８の自由端は、該自由端の上に弾性保持フィンガ２９が形成され、この弾性保持フィンガ２９は、端部領域２８に対して斜めに頂部領域２７に向かって内向きに延び、ひとたび長円形物体が保持区域に挿入されると、その自由端により、物体が所定の位置に保持される。
【００２４】
チューブ状物体が保持区域２４又は２５に挿入されると、保持フィンガ２９及び端部領域２８は、チューブ状物体によって互いから離れるように押され、チューブ状物体は、保持フィンガ２９を超えて保持位置に動かされ、頂部領域２７の中空の内面に押し当たる。このチューブ状物体の位置において、保持フィンガ２９は、その初期位置に跳ね戻り、従って、チューブ状物体を、強力な引き抜き力に対抗して保持区域内にしっかりと保持することができる。
【００２５】
リテーナ部分４は、２つの薄い可撓性壁要素３１、３２によって基部部分に固定される。壁要素３１は、ほぼＳ字形状であり、保持区域２４の端部領域２８を構成部１９の上端に接続する。壁要素３２は、Ｕ字形状に曲げられ、頂部領域２７の外側において保持区域２５をフレーム９の横断方向要素１４に接続する。
【００２６】
壁要素３１、３２は、リテーナ部分４が、基部部分２とぶつかることなく空間内で全方向にある程度まで動くことができるように、リテーナ部分４を基部部分２に固定する。基部部分２に対するリテーナ部分４の自由移動度を超えない振動は、可撓性壁要素によって遮断され、減衰した方法で伝達されるだけである。
【００２７】
保持区域２４、２５の頂部領域２７において、フレーム９内の開口部１５、１６により、必要なリテーナ部分４の運動の自由度がもたらされる。このように、リテーナ部分４、従って同じくリテーナ部分４内に収容されるチューブ状物体を、基部部分２の近くに配置し、これに対応して、基部部分２を支持する基材から短い距離のところに配置することができる。開口部１５、１６によってもたらされる間隙は、保持区域２４、２５と基部部分２との間の距離を対応して増大させることなく、保持区域２４、２５の頂部領域２７の外側に、補強リブ３４を設けることも可能にする。
【００２８】
チューブ状物体がリテーナ部分４に挿入されると、保持区域２４、２５は、挿入力によって、開口部の縁部に押し当たるまで、開口部１５、１６内に押し込まれる。その結果、リテーナ部分４は、さらに基部部分２上に支持される。従って、このことは、可撓性壁要素３１、３２の過度な変形又は過負荷が生じるリスクを回避する。
【００２９】
保持区域２４、２５の確実な接続は、長手方向におけるホルダ１の全長の短縮を促進する。しかしながら、本発明は、そうした実施形態に限定されるものではなく、全ての保持区域が、薄壁の可撓性壁要素のみにより互いに接続されたホルダ設計においても同じように有利に用いることができる。
【００３０】
リテーナ部分３は、Ｕ字形状の断面をもつ壁によって形成された単一の保持区域３５を有し、原則的に、保持区域２４、２５と同じように具体化され、より大きい直径をもつチューブ状物体用に設計される。リテーナ部分４と同様に、リテーナ部分３は、Ｓ字形状の薄壁の可撓壁要素３６によって構成部に接続され、別のＳ字形状の壁要素３７によって壁区域２１の端部に接続される。チューブ状物体が挿入されると、リテーナ部分３は、壁区域２１を構成部１９に接続する補強リブの面取り形状面３８に押し当たることができる。
【００３１】
ホルダ１の他方の端部におけるリテーナ部分５は、より小さい直径をもつ長円形物体用に設計される。この目的のため、そのＵ字形状の保持区域４０の内面には、段と、より小さい直径を有する中空面とが設けられる。リテーナ部分５は、Ｓ字形状の薄い可撓性壁要素４２によって壁区域２２の端部に接続され、Ｕ字形状の薄い可撓性壁要素４１によってリテーナ部分４の保持区域２５に接続される。
【符号の説明】
【００３２】
１：ホルダ
２：基部部分
３、４、５：リテーナ部分
６：接触面
７：弾性フィンガ
９：フレーム
１０、１１：長手方向要素
１２、１３、１４：横断方向要素
１５、１６：矩形開口部
１７、１８：内部リブ
１９：スリーブ様構成部
２０：ボルト収容開口部
２１、２２：壁区域
２４、２５、３５、４０：保持区域
２７：頂部領域
２８：端部領域
２９：弾性保持フィンガ
３０：ガイド開口部
３１、３２、３６、３７、４１、４２：可撓性壁要素
３４：補強リブ
３８:面取り形状面
【図１】
0006702679.tif 000002
【図２】
0006702679.tif 000003
【図３】
0006702679.tif 000004
【図４】
0006702679.tif 000005